【手続補正書】
【提出日】平成27年12月16日(2015.12.16)
【手続補正１】
【補正対象書類名】特許請求の範囲
【補正対象項目名】全文
【補正方法】変更
【補正の内容】
【特許請求の範囲】
【請求項１】
所定数の図柄の配列を有し、当該配列を周回移動させることにより、図柄を変動表示させる複数の図柄表示手段と、
前記図柄表示手段の変動表示の開始を指示するために操作される始動指示手段と、
各図柄表示手段に対応して設けられ、前記図柄表示手段の変動表示の停止を指示するために操作される停止指示手段と、
前記始動指示手段が操作されたことに応答して、すべての前記図柄表示手段の変動表示を開始させる開始制御手段と、
複数の抽選区分が設定され、前記抽選区分ごとに１又は複数の役および抽選値を対応づけることによって作成された抽選テーブルを記憶する抽選テーブル記憶手段と、
前記始動指示手段が操作されたことに応答して、乱数を取得し、当該乱数に対応する前記抽選区分を決定する抽選実行手段と、
前記図柄表示手段の変動表示の開始後、前記停止指示手段が操作されたことに応答して、前記抽選実行手段によって決定された前記抽選区分に基づいて、当該停止指示手段が操作されたタイミングでの当該停止指示手段に対応する前記図柄表示手段の図柄の配列の位置を基準として、当該図柄表示手段の変動表示を所定の最大引込コマ数以下で移動させて停止させる停止制御手段と、
各役に対応づけて設定された図柄の並びが所定の入賞ライン上に停止したか否かを判定する入賞判定手段とを含み、
前記図柄表示手段の少なくとも１つは、正解図柄、第１不正解図柄、第２不正解図柄、第１制御図柄および第２制御図柄を図柄の配列に含み、
前記抽選区分には、前記正解図柄を含む図柄の並びである正解出目が対応づけられた正解小役、前記第１不正解図柄を含む図柄の並びが対応づけられた第１不正解小役、および前記第１制御図柄を含む図柄の並びが対応づけられた第１制御小役が定められた第１抽選区分と、前記正解小役、前記第２不正解図柄を含む図柄の並びが対応づけられた第２不正解小役、および前記第２制御図柄を含む図柄の並びが対応づけられた第２制御小役が定められた第２抽選区分とが含まれ、
前記第１抽選区分および前記第２抽選区分には、それぞれ正解となる前記停止指示手段の操作順が対応づけて定められており、
前記正解図柄は、前記正解図柄間の間隔が前記最大引込コマ数以下となるように複数配置されており、
前記第１不正解図柄は、前記停止制御手段による停止制御で前記第１不正解図柄を前記入賞ライン上に停止させることが可能な所定の第１引込可能範囲内に複数配置され、
前記第２不正解図柄は、前記停止制御手段による停止制御で前記第２不正解図柄を前記入賞ライン上に停止させることが可能な所定の第２引込可能範囲内に複数配置されており、
前記第１引込可能範囲と前記第２引込可能範囲とは、互いに重複しないように排他的に設定されており、
前記第１制御図柄は、前記第１制御図柄の最大引込範囲が前記第１引込可能範囲内に含まれるように配置され、
前記第２制御図柄は、前記第２制御図柄の最大引込範囲が前記第２引込可能範囲内に含まれるように配置されており、
前記停止制御手段は、前記抽選実行手段によって前記第１抽選区分または前記第２抽選区分が決定され、かつ、前記停止指示手段の操作順が正解であった場合に、前記正解出目が前記入賞ライン上に停止するように、前記図柄表示手段の変動表示を停止させる、遊技機。
【請求項２】
前記第１抽選区分に定められた前記抽選値と前記第２抽選区分に定められた前記抽選値とが同じであり、前記第１抽選区分に定められた前記役の数と前記第２抽選区分に定められた前記役の数とが同じである、請求項１に記載の遊技機。
【請求項３】
前記正解図柄、前記第１不正解図柄、前記第２不正解図柄、前記第１制御図柄および前記第２制御図柄が含まれる図柄の配列には、第３不正解図柄が含まれ、
前記第３不正解図柄は、前記停止制御手段による停止制御で前記第３不正解図柄を前記入賞ライン上に停止させることが可能な所定の第３引込可能範囲内に複数配置されており、
前記第１引込可能範囲と前記第２引込可能範囲と前記第３引込可能範囲とは、互いに重複しないように排他的に設定されており、
すべての図柄は、前記第１引込可能範囲、前記第２引込可能範囲および前記第３引込可能範囲に振り分けられている、請求項１または２に記載の遊技機。
【請求項４】
ゲーム状態を通常状態とアシストタイム状態とに切り替えるゲーム状態切替手段と、
前記アシストタイム状態において、正解となる前記停止指示手段の操作順を報知する操作順報知手段とをさらに含む、請求項１〜３のいずれか一項に記載の遊技機。
【請求項５】
図柄には、特別ゲーム開始図柄が含まれ、
前記抽選区分には、前記特別ゲーム開始図柄を含む図柄の並びである特別ゲーム開始出目が入賞ライン上に停止することによって入賞となる特別ゲーム開始役が定められた第３抽選区分が含まれ、
前記停止制御手段は、前記特別ゲーム開始役の入賞に応答して開始される前記特別ゲーム中の各ゲームにおいて、所定の前記図柄表示手段について少なくとも一つは、前記最大引込コマ数を１として、当該図柄表示手段の変動表示を１コマ分の範囲内で移動させて停止させ、
前記ゲーム状態切替手段は、前記抽選実行手段によって前記第３抽選区分が決定されてから前記特別ゲーム開始役が入賞するまでの期間に、ゲーム状態を前記通常状態から前記アシストタイム状態に切り替える、請求項４に記載の遊技機。
【手続補正２】
【補正対象書類名】明細書
【補正対象項目名】００１３
【補正方法】変更
【補正の内容】
【００１３】
前記の目的を達成するため、本発明に係る遊技機（１）は、所定数の図柄の配列を有し、当該配列を周回移動させることにより、図柄を変動表示させる複数の図柄表示手段（４Ｌ，４Ｃ，４Ｒ）と、前記図柄表示手段（４Ｌ，４Ｃ，４Ｒ）の変動表示の開始を指示するために操作される始動指示手段（１５）と、各図柄表示手段（４Ｌ，４Ｃ，４Ｒ）に対応して設けられ、前記図柄表示手段（４Ｌ，４Ｃ，４Ｒ）の変動表示の停止を指示するために操作される停止指示手段（１６Ｌ，１６Ｃ，１６Ｒ）と、前記始動指示手段（１５）が操作されたことに応答して、すべての前記図柄表示手段（４Ｌ，４Ｃ，４Ｒ）の変動表示を開始させる開始制御手段（３１）と、複数の抽選区分が設定され、前記抽選区分ごとに１又は複数の役および抽選値を対応づけることによって作成された抽選テーブルを記憶する抽選テーブル記憶手段と、前記始動指示手段（１５）が操作されたことに応答して、乱数を取得し、当該乱数に対応する抽選値が含まれる前記抽選区分を決定する抽選実行手段（３１）と、前記図柄表示手段（４Ｌ，４Ｃ，４Ｒ）の変動表示の開始後、前記停止指示手段（１６Ｌ，１６Ｃ，１６Ｒ）が操作されたことに応答して、前記抽選実行手段（３１）によって決定された前記抽選区分に基づいて、当該停止指示手段（１６Ｌ，１６Ｃ，１６Ｒ）が操作されたタイミングでの当該停止指示手段（１６Ｌ，１６Ｃ，１６Ｒ）に対応する前記図柄表示手段（４Ｌ，４Ｃ，４Ｒ）の図柄の配列の位置を基準として、当該図柄表示手段（４Ｌ，４Ｃ，４Ｒ）の変動表示を所定の最大引込コマ数以下で移動させて停止させる停止制御手段（３１）と、各役に対応づけて設定された図柄の並びが所定の入賞ライン上に停止したか否かを判定する入賞判定手段（３１）とを含み、前記図柄表示手段の少なくとも１つは、正解図柄、第１不正解図柄、第２不正解図柄、第１制御図柄および第２制御図柄を図柄の配列に含み、前記抽選区分には、前記正解図柄を含む図柄の並びである正解出目が対応づけられた正解小役、前記第１不正解図柄を含む図柄の並びが対応づけられた第１不正解小役、および前記第１制御図柄を含む図柄の並びが対応づけられた第１制御小役が定められた第１抽選区分と、前記正解小役、前記第２不正解図柄を含む図柄の並びが対応づけられた第２不正解小役、および前記第２制御図柄を含む図柄の並びが対応づけられた第２制御小役が定められた第２抽選区分とが含まれ、前記第１抽選区分および前記第２抽選区分には、それぞれ正解となる前記停止指示手段（１６Ｌ，１６Ｃ，１６Ｒ）の操作順が対応づけて定められており、前記正解図柄は、前記正解図柄間の間隔が前記最大引込コマ数以下となるように複数配置されており、前記第１不正解図柄は、前記停止制御手段（３１）による停止制御で前記第１不正解図柄を前記入賞ライン上に停止させることが可能な所定の第１引込可能範囲内に複数配置され、前記第２不正解図柄は、前記停止制御手段（３１）による停止制御で前記第２不正解図柄を前記入賞ライン上に停止させることが可能な所定の第２引込可能範囲内に複数配置されており、前記第１引込可能範囲と前記第２引込可能範囲とは、互いに重複しないように排他的に設定されており、前記第１制御図柄は、前記第１制御図柄の最大引込範囲が前記第１引込可能範囲内に含まれるように配置され、前記第２制御図柄は、前記第２制御図柄の最大引込範囲が前記第２引込可能範囲内に含まれるように配置されており、前記停止制御手段（３１）は、前記抽選実行手段（３１）によって前記第１抽選区分または前記第２抽選区分が決定され、かつ、前記停止指示手段（１６Ｌ，１６Ｃ，１６Ｒ）の操作順が正解であった場合に、前記正解出目が前記入賞ライン上に停止するように、前記図柄表示手段（４Ｌ，４Ｃ，４Ｒ）の変動表示を停止させる。
【手続補正３】
【補正対象書類名】明細書
【補正対象項目名】００２７
【補正方法】変更
【補正の内容】
【００２７】
正解図柄、第１不正解図柄、第２不正解図柄、第１制御図柄および第２制御図柄が含まれる図柄の配列には、第３不正解図柄が含まれ、第３不正解図柄は、停止制御手段（３１）による停止制御で第３不正解図柄を入賞ライン上に停止させることが可能な所定の第３引込可能範囲内に複数配置されており、第１引込可能範囲と第２引込可能範囲と第３引込可能範囲とは、互いに重複しないように排他的に設定されており、すべての図柄は、第１引込可能範囲、第２引込可能範囲および第３引込可能範囲に振り分けられていてもよい。